(57)【要約】【解決手段】一対のベッド１の脚部材４間に対し連結部９で連結した台部材５に各連結部９間で固定支柱６を設け、この固定支柱６に対し昇降機構１４を横方向Ｙへ回動可能に支持した。また、台部材をベッドの脚部材に対し連結部で横方向へ回動可能に連結し、この連結部から離間した位置で台部材に設けた固定支柱に対し昇降機構を横方向へ回動可能に支持した。【効果】一対のベッド１に対し一つの介護リフト装置２を有効に利用することができる。一対のベッド１と一つの介護リフト装置２とを備えた介護装置の構造を簡単にするとともに、一対のベッド１間や各ベッド１と介護リフト装置２との間の一体性を高めて介護リフト装置２の安定性を高めることができる。また、ベッドの周囲で介護リフト装置を有効に利用し得る範囲を広げることができる。従って、介護を行い易くすることができる。【選択図】図１
2004033534.tif 000002
【特許請求の範囲】
【請求項１】
複数のベッドの脚部材間に対し連結部で連結した台部材に各連結部間で支持部を設け、この支持部に対し介護処理機構を横方向へ回動可能に支持したことを特徴とする介護装置。
【請求項２】
台部材をベッドの脚部材に対し連結部で横方向へ回動可能に連結し、この連結部から離間した位置で台部材に設けた支持部に対し介護処理機構を横方向へ回動可能に支持したことを特徴とする介護装置。
【請求項３】
台部材に設けた支持部に対し介護処理機構を横方向へ回動可能に支持し、この台部材には他の介護装置に対し着脱可能な一または二以上の連結部を設けたことを特徴とする介護装置。
【発明の詳細な説明】
【０００１】
【発明の属する技術分野】
本発明は、介護リフト機構などを備えた介護装置に関するものである。
【０００２】
【従来の技術】
従来の介護リフト装置は、例えばベッドと車椅子との間で介護者を移し換える場合などに利用される。このような介護リフト装置としては、ベッドに対し分離された分離型のものや、ベッドごとに一体的に設置された組付型のものなどが知られている。
【０００３】
【発明が解決しようとする課題】
上記分離型介護リフト装置では、互いに並べられた複数のベッドの中間位置に配置して複数のベッドに対し一つの介護リフト機構を有効に利用することができ、しかも適宜移動させることによりベッドの周囲で介護リフト機構を有効に利用し得る範囲を広げることができる。しかし、分離型介護リフト装置を確実に固定しない限り、分離型介護リフト装置が不用意に動くおそれがあって安定性に欠けるため、介護が行いにくくなる。
【０００４】
上記組付型介護リフト装置では、上記安定性に優れているが、複数のベッドに対し一つの介護リフト機構を有効に利用したりベッドの周囲で介護リフト機構を有効に利用し得る範囲を広げたりすることは難しいため、介護を行い易くする点では問題がある。
【０００５】
この発明は、従来の組付型介護リフト装置などの組付型介護装置を改良して介護を行い易くすることを目的としている。
【０００６】
【課題を解決するための手段及び発明の効果】
後記実施形態の図面（図１〜２及び図５に示す第一実施形態、図３〜４及び図５に示す第二実施形態）の符号を援用して本発明を説明する。
【０００７】
＊　請求項１の発明（第一実施形態に対応）
この発明にかかる介護装置は、下記のように構成されている。
複数のベッド（１）の脚部材（４）間に対し連結部（９）で連結した台部材（５）に各連結部（９）間で支持部（固定支柱６）を設け、この支持部（６）に対し介護処理機構（介護リフト装置２の昇降機構１４）を横方向（Ｙ）へ回動可能に支持している。この発明では、複数のベッド（１）に対し一つの介護処理機構（１４）を有効に利用することができる。また、複数のベッド（１）間で連結した台部材（５）を、介護処理機構（１４）を支持する台部材（５）としても兼用したので、複数のベッド（１）と介護処理機構（１４）とを備えた介護装置の構造を簡単にするとともに、複数のベッド（１）間や各ベッド（１）と介護処理機構（１４）との間の一体性を高めて介護処理機構（１４）の安定性を高めることができる。従って、介護を行い易くすることができる。
【０００８】
＊　請求項２の発明（第二実施形態に対応）
この発明にかかる介護装置は、下記のように構成されている。
台部材（５）をベッド（１）の脚部材（４）に対し連結部（９）で横方向（Ｙ）へ回動可能に連結し、この連結部（９）から離間した位置で台部材（５）に設けた支持部（固定支柱６）に対し介護処理機構（介護リフト装置２の昇降機構１４）を横方向（Ｙ）へ回動可能に支持している。この発明では、ベッド（１）と介護処理機構（１４）との間の一体性を高めて介護処理機構（１４）の安定性を高めることができるばかりではなく、ベッド（１）の周囲で介護処理機構（１４）を有効に利用し得る範囲を広げることができる。従って、介護を行い易くすることができる。
【０００９】
＊　請求項３の発明（第一実施形態及び第二実施形態に対応）
この発明にかかる介護装置は、下記のように構成されている。
台部材（５）に設けた支持部（固定支柱６）に対し介護処理機構（介護リフト装置２の昇降機構１４）を横方向（Ｙ）へ回動可能に支持し、この台部材（５）には他の介護装置（１）に対し着脱可能な一または二以上の連結部（９）を設けている。例えば、第一実施形態に示すようにこの支持部（６）から横方向（Ｙ）の両側へ離間した両側位置で連結部（９）を設けたり、第二実施形態に示すようにこの支持部（固定支柱６）から横方向（Ｙ）の片側へ離間した片側位置で連結部（９）を設ける。この発明では、ベッド（１）などの他の介護装置に対し必要に応じて連結して、介護装置を相互に有効利用することができるとともに、ベッド（１）と介護処理機構（１４）との間の一体性を高めて介護処理機構（１４）の安定性を高めることができる。従って、介護を行い易くすることができる。
【００１０】
＊　第４の発明（第一実施形態に対応）
この発明において、請求項１の発明にかかる台部材（５）の各連結部（９）は、ベッド（１）の脚部材（４）に対し着脱可能に設けられている。この発明では、台部材（５）上の介護処理機構（１４）を複数のベッド（１）から台部材（５）とともに取り外して他の介護装置にも有効に利用することができる。従って、介護を行い易くすることができる。
【００１１】
＊　第５の発明（第二実施形態に対応）
この発明において、請求項２の発明にかかる台部材（５）の各連結部（９）は、ベッド（１）の脚部材（４）に対し着脱可能に設けられている。この発明では、台部材（５）上の介護処理機構（１４）をベッド（１）から台部材（５）とともに取り外して他の介護装置にも有効に利用することができる。従って、介護を行い易くすることができる。
【００１２】
＊　第６の発明（第一実施形態及び第二実施形態に対応）
この発明において、請求項３の発明にかかる台部材（５）の連結部（９）は、他の介護装置（１）に対し横方向（Ｙ）へ回動可能に支持し得る。この発明では、ベッド（１）などの他の介護装置の周囲で介護処理機構（１４）を有効に利用し得る範囲を広げることができる。従って、介護を行い易くすることができる。
【００１３】
【発明の実施の形態】
〔第一実施形態〕
まず、本発明の第一実施形態にかかる介護装置について図１〜２及び図５を参照して説明する。
【００１４】
介護装置は、図２（ａ）（ｂ）に示すように互いに並べられた一対のベッド１と、これらのベッド１に対し一体的に取り付けられた介護リフト装置２とを備えている。これらのベッド１においては台部３の両側に脚部材４が取着されている。これらの脚部材４は、台部３の四隅部を支える脚棒４ａのほかに、台部３の両側で両脚棒４ａから上方へ立ち上がる壁棒４ｂも含む。
【００１５】
前記両ベッド１で互いに隣接する両脚部材４は、前記介護リフト装置２の台部材５により連結されている。この台部材５は、縦方向Ｚ（鉛直方向）に延びる固定支柱６（支持部）と、この固定支柱６の上下両側に取着されて横方向Ｙ（鉛直方向に対し直交する水平面に沿った方向）に延びる上下両連結棒７，８とを備えている。この上下両連結棒７，８の両端部にはそれぞれ固定支柱６を挟む両側位置で連結部９が設けられている。この各連結部９においては、互いに開閉可能な両腕部１０，１１間に前記脚部材４（脚棒４ａまたは壁棒４ｂ）が挿通され、この両腕部１０，１１が脚部材４に対し互いに閉じられて締付ねじ１２により取着されている。この締付ねじ１２を緩めて両腕部１０，１１を互いに開くと、連結部９を脚部材４から離脱させることができる。
【００１６】
前記固定支柱６には可動支柱１３が回動可能に支持され、この固定支柱６から上方へ延設されている。この可動支柱１３は、縦方向Ｚ（固定支柱６が延びる上下方向）へ延びる中心線６ａを中心とする円周角度（３６０度）の範囲で横方向Ｙへ回動し得る。前記介護リフト装置２の昇降機構１４は、一本の昇降腕１５と、この昇降腕１５を昇降させる駆動部１６とを備えている。この昇降腕１５は、前記可動支柱１３の上端部に対し一体回動可能に取着されたブラケット１７に対し支軸１８を中心にして縦方向Ｚへ回動可能に支持され、このブラケット１７から延設されている。この昇降腕１５の先端に設けられた吊下部１９にはハンガー２０が支持されている。前記駆動部１６は、電動アクチュエータであって、前記固定支柱６と昇降腕１５との間で、可動支柱１３に対し一体回動可能に取着されたブラケット２１に対し支軸２２を中心にして縦方向Ｚへ回動可能に支持されている。この駆動部１６の支持ロッド１６ａは、前記昇降腕１５の中間部に取着されたブラケット２３に対し軸２４で回動可能に支持されている。この支持ロッド１６ａが伸長すると、昇降腕１５が上方へ回動してハンガー２０が上昇する。この支持ロッド１６ａが収縮すると、昇降腕１５が下方へ回動してハンガー２０が下降する。なお、この駆動部１６については手動機構を採用してもよい。前記介護リフト装置２において昇降機構１４は、台部材５の固定支柱６を中心に両ベッド１の周囲を３６０度の円軌跡Ｓの範囲で回動し得る。
【００１７】
〔第二実施形態〕
次に、本発明の第二実施形態にかかる介護装置について第一実施形態との相違点を中心に図３〜４及び図５を参照して説明する。
【００１８】
台部材５において、上下両連結棒７，８の一端部は固定支柱６の上下両側に取着され、この上下両連結棒７，８の他端部にはそれぞれ連結部９が設けられている。この台部材５の連結部９はベッド１の脚部材４（脚棒４ａまたは壁棒４ｂ）に対し前述したように連結されているが、この連結部９の締付ねじ１２を緩めれば、台部材５はベッド１に当接しない回動軌跡Ｌの範囲で脚部材４に対し横方向Ｙへ回動し得る。従って、前記介護リフト装置２において昇降機構１４は、台部材５の回動軌跡Ｌの範囲内にある各位置でそれぞれ、台部材５の固定支柱６を中心に３６０度の円軌跡Ｓの範囲で回動し得る。
【図面の簡単な説明】
【図１】第一実施形態にかかる介護装置を示す正面図である。
【図２】第一実施形態にかかる介護装置を示す平面図である。
【図３】第二実施形態にかかる介護装置を示す正面図である。
【図４】第二実施形態にかかる介護装置を示す平面図である。
【図５】第一実施形態及び第二実施形態において台部材とベッドとの連結部を示す断面図である。
【符号の説明】
１…ベッド、２…介護リフト装置、４…脚部材、５…台部材、６…固定支柱（支持部）、９…連結部、１４…昇降機構（介護処理機構）、Ｙ…横方向。
【図１】
2004033534.tif 000003
【図２】
2004033534.tif 000004
【図３】
2004033534.tif 000005
【図４】
2004033534.tif 000006
【図５】
2004033534.tif 000007